(57)【要約】【課題】工事現場の仮設足場や建造物の死角等において、侵入者が大きな不安や脅威を抱くような形態で威嚇すると共に周囲に対してもその侵入者の存在を知らしめることによって、高い防犯効果を発揮することのできる防犯器具及びその防犯器具の配置構造を提供する。【解決手段】防犯器具１０は、光センサ１６によって検出した周囲の明るさが予め設定した所定照度以下である場合は、人感センサ１８を作動させ、侵入者の存在の有無を判断する。人感センサ１８によって侵入者の存在を検知した場合は、照明灯１２を点灯又は点滅させアラーム音を発生させることにより警告する。また、その防犯器具１０を特定の領域に複数配置し、その特定の領域に侵入者４０が侵入した場合には少なくとも１つの防犯器具１０が作動するように防犯器具１０を配置する。
2008105187.tif 000002
【特許請求の範囲】
【請求項１】
ハウジングと、光を発生させる発光手段と、音を発生させる音発生手段と、所定距離の範囲内における人体の存在を検知する人体検知手段と、前記発光手段と前記音発生手段と前記人体検知手段との作動を制御する制御回路と、電源とを有し、前記人体検知手段によって所定距離の範囲内で人体の存在を検知した場合に、前記発光手段から光を発生させると共に前記音発生手段から音を発生させることを特徴とする防犯器具。
【請求項２】
照度を検出する照度検出手段を有し、その照度検出手段によって照度が所定以下の値を検出した場合に前記人体検知手段を作動させることを特徴とする請求項１記載の防犯器具。
【請求項３】
時間を計測する計時手段を有し、その計時手段によって時間が所定の値を示した場合に前記人体検知手段を作動させることを特徴とする請求項１又は２に記載の防犯器具。
【請求項４】
前記電源を電池とし、その電池を前記ハウジングの内部に備えたことを特徴とする請求項１乃至３のいずれかに記載の防犯器具。
【請求項５】
前記発光手段が強い光と弱い光との２種類の光を発光させるものとし、前記人体検知手段が所定距離内に人体を検知している間は前記発光手段から強い光を発光し、前記人体検知手段が所定距離内から人体が離れたことを検知した場合に前記発光手段から弱い光を発光することを特徴とする請求項１乃至４のいずれかに記載の防犯器具。
【請求項６】
前記音発生手段が２種類の異なる音を発生させるものとし、前記人体検知手段が所定距離内に人体を検知している間は前記音発生手段から２種類のうちの１種類の音を発生し、前記人体検知手段が所定距離内から人体が離れたことを検知した場合に前記音発生手段から２種類のうちのもう１種類の音を発生することを特徴とする請求項１乃至５のいずれかに記載の防犯器具。
【請求項７】
前記人体検知手段が所定距離内に人体を検知した後に前記人体検知手段が所定距離内から人体が離れたことを検知した場合に、その後の一定時間の経過後に前記発光手段から発生する光を停止させると共に前記音発生手段から発生する音を停止させることを特徴とする請求項１乃至６のいずれかに記載の防犯器具。
【請求項８】
リセットスイッチを有し、そのリセットスイッチが作動すると前記制御回路が前記人体検知手段をその後の一定時間だけ作動しないようにすることを特徴とする請求項１乃至７のいずれかに記載の防犯器具。
【請求項９】
前記ハウジングにそのハウジングを他の部材に取付けるための取付手段を備えたことを特徴とする請求項１乃至８のいずれかに記載の防犯器具。
【請求項１０】
前記照度検出手段によって検出した照度が所定以下の値から所定以上の値になった時点から一定時間の間、前記人体検知手段によって所定距離の範囲内で人体の存在を検知した場合に、前記音発生手段から音を発生させることを特徴とする請求項１乃至９のいずれかに記載の防犯器具。
【請求項１１】
ハウジングと、光を発生させる発光手段と、音を発生させる音発生手段と、所定距離の範囲内における人体の存在を検知する人体検知手段と、前記発光手段と前記音発生手段と前記人体検知手段との作動を制御する制御回路と、電源とを有し、前記人体検知手段によって所定距離の範囲内で人体の存在を検知した場合に、前記発光手段から光を発生させると共に前記音発生手段から音を発生させる防犯器具を所定の領域内に多数配置する防犯器具の配置構造であって、前記所定の領域内に多数配置した防犯器具のうちの少なくとも１つの防犯器具の前記人体検知手段によって前記所定の領域内のどの位置における人体でも検知するようにしたことを特徴とする防犯器具の配置構造。
【請求項１２】
前記防犯器具に照度を検出する照度検出手段を有し、その照度検出手段によって照度が所定以下の値を検出した場合に前記人体検知手段を作動させることを特徴とする請求項１１記載の防犯器具の配置構造。
【請求項１３】
前記防犯器具に時間を計測する計時手段を有し、その計時手段によって時間が所定の値を示した場合に前記人体検知手段を作動させることを特徴とする請求項１１又は１２に記載の防犯器具の配置構造。
【請求項１４】
前記電源を電池とし、その電池を前記ハウジングの内部に備えたことを特徴とする請求項１１乃至１３のいずれかに記載の防犯器具の配置構造。
【請求項１５】
前記発光手段が強い光と弱い光との２種類の光を発光させるものとし、前記人体検知手段が所定距離内に人体を検知している間は前記発光手段から強い光を発光し、前記人体検知手段が所定距離内から人体が離れたことを検知した場合に前記発光手段から弱い光を発光することを特徴とする請求項１１乃至１４のいずれかに記載の防犯器具の配置構造。
【請求項１６】
前記音発生手段が２種類の異なる音を発生させるものとし、前記人体検知手段が所定距離内に人体を検知している間は前記音発生手段から２種類のうちの１種類の音を発生し、前記人体検知手段が所定距離内から人体が離れたことを検知した場合に前記音発生手段から２種類のうちのもう１種類の音を発生することを特徴とする請求項１１乃至１５のいずれかに記載の防犯器具の配置構造。
【発明の詳細な説明】
【技術分野】
【０００１】
本発明は、工事現場の仮設足場や建造物の死角等に設置することができる防犯器具及びその防犯器具の配置構造に関するものである。
【背景技術】
【０００２】
従来から、周囲の明るさを検出する光センサと人体の存在を検知する人感センサとを備えた自動照明装置が考案されている（特許文献１、特許文献２）。これらの自動照明装置は、暗い場所や夜等の暗い時間帯に、人が近づくとそれを感知して自動点灯し、人が離れると自動消灯する等して節電及び利便性の向上を図っているものであり、例えば、一般住宅の玄関先や庭等に設置されているポーチライト等の照明装置として利用されている。また、このような自動照明装置は、一般住宅の玄関先等に設置することによって防犯装置としての効果を期待され、利用されることもある。防犯装置としての利用方法においては、設置した玄関先等に不審者が近寄るとそれを認識し、自動的に点灯や点滅してその不審者を威嚇することになるので、それなりに防犯上効果的な面を有している。【０００３】
【特許文献１】実開平１−１５８６９７号公報
【特許文献２】実開平４−２４２１９号公報
【発明の開示】
【発明が解決しようとする課題】
【０００４】
一例として挙げた上記自動照明装置のように、夜間や暗い場所における防犯装置として、種々の装置・器具が提案されている。しかし、工事現場や建造物の死角等においては、一般住宅のような防犯対策があまりなされておらず、その危機管理状況は明らかに杜撰であると言わざるを得ない。
例えば、夜間の工事現場等には大型重機や鉄筋等の種々の機材が置いたままになっており、侵入禁止区域になっている。にもかかわらず、管理する常駐者が誰もいないという場合も多く、侵入者がいた場合、その発見が困難又は極度に遅れることが予想され、その気になれば誰でも容易に侵入できてしまう状態となっている。また、建造物の死角に至っては、特に夜間等の暗い時間帯は痴漢や放火等の犯罪が頻発し易い危険地帯である。【０００５】
このような背景から、工事現場や建造物の死角においても、特に夜間における効果的な防犯対策が早急に求められている。しかし、防犯に対する意識や必要性は存在するものの、有効な既存手段（装置）がなく、具体的な対策が立てられていないというのが現状である。
例えば、従来既存の自動照明装置を工事現場や建造物の死角に転用して設置しようとした場合、まず第一に、玄関先や庭等では電源の確保が比較的容易であったが、工事現場や建造物の死角等となると、電源の確保（供給）が難しくなるという問題が挙げられる。
また、上記の通り、自動照明装置が一般住宅の玄関先や庭等でよく見かけられるようになってきた反面、最近では侵入者もこの光による警告には慣れてきてしまっており、威嚇効果が低減してきていることも否めない。これでは、従来既存の自動照明装置を転用しただけでは十分な効果が期待できない。
また、工事現場の仮設足場等は組立てと解体を一定期間毎に何度も繰り返すものである。このため、自動照明装置の設置に複雑な作業を要すると、作業員にとっては面倒であり余計な負担となるためやはり実用化できない。
さらに、仮に従来既存の自動照明装置を工事現場や建造物の死角に設置できたとしても、侵入者等の人体反応を感知して照明が点灯したとき、周囲からはどこで光っているかの判別が困難な場合もあり、結果的に侵入者や犯罪者の発見が遅れ、さらなる重大な事件へと発展してしまう可能性もある。
このように、従来既存の自動照明装置を、工事現場や建造物の死角等において侵入者対策のための防犯器具として利用するためには不十分な面が多々あるうえ、種々の困難が伴っている。【０００６】
本発明は、上記列挙した問題点を総合的に解消するために為されたものであり、工事現場の仮設足場や建造物の死角等において、侵入者が大きな不安や脅威を抱くような形態で威嚇すると共に周囲に対してもその侵入者の存在を知らしめることによって、高い防犯効果を発揮することのできる防犯器具及びその防犯器具の配置構造を提供することを目的とする。
【課題を解決するための手段】
【０００７】
本発明に係る防犯器具は、ハウジングと、光を発生させる発光手段と、音を発生させる音発生手段と、所定距離の範囲内における人体の存在を検知する人体検知手段と、前記発光手段と前記音発生手段と前記人体検知手段との作動を制御する制御回路と、電源とを有し、前記人体検知手段によって所定距離の範囲内で人体の存在を検知した場合に、前記発光手段から光を発生させると共に前記音発生手段から音を発生させることを特徴とするものである。
本発明に係る防犯器具は、照度を検出する照度検出手段を有し、その照度検出手段によって照度が所定以下の値を検出した場合に前記人体検知手段を作動させることを特徴とするものである。
本発明に係る防犯器具は、時間を計測する計時手段を有し、その計時手段によって時間が所定の値を示した場合に前記人体検知手段を作動させることを特徴とするものである。
本発明に係る防犯器具は、前記電源を電池とし、その電池を前記ハウジングの内部に備えたことを特徴とするものである。
本発明に係る防犯器具は、前記発光手段が強い光と弱い光との２種類の光を発光させるものとし、前記人体検知手段が所定距離内に人体を検知している間は前記発光手段から強い光を発光し、前記人体検知手段が所定距離内から人体が離れたことを検知した場合に前記発光手段から弱い光を発光することを特徴とするものである。
本発明に係る防犯器具は、前記音発生手段が２種類の異なる音を発生させるものとし、前記人体検知手段が所定距離内に人体を検知している間は前記音発生手段から２種類のうちの１種類の音を発生し、前記人体検知手段が所定距離内から人体が離れたことを検知した場合に前記音発生手段から２種類のうちのもう１種類の音を発生することを特徴とするものである。
本発明に係る防犯器具は、前記人体検知手段が所定距離内に人体を検知した後に前記人体検知手段が所定距離内から人体が離れたことを検知した場合に、その後の一定時間の経過後に前記発光手段から発生する光を停止させると共に前記音発生手段から発生する音を停止させることを特徴とするものである。
本発明に係る防犯器具は、リセットスイッチを有し、そのリセットスイッチが作動すると前記制御回路が前記人体検知手段をその後の一定時間だけ作動しないようにすることを特徴とするものである。
本発明に係る防犯器具は、前記ハウジングにそのハウジングを他の部材に取付けるための取付手段を備えたことを特徴とするものである。
本発明に係る防犯器具は、前記照度検出手段によって検出した照度が所定以下の値から所定以上の値になった時点から一定時間の間、前記人体検知手段によって所定距離の範囲内で人体の存在を検知した場合に、前記音発生手段から音を発生させることを特徴とするものである。【０００８】
本発明に係る防犯器具の配置構造は、ハウジングと、光を発生させる発光手段と、音を発生させる音発生手段と、所定距離の範囲内における人体の存在を検知する人体検知手段と、前記発光手段と前記音発生手段と前記人体検知手段との作動を制御する制御回路と、電源とを有し、前記人体検知手段によって所定距離の範囲内で人体の存在を検知した場合に、前記発光手段から光を発生させると共に前記音発生手段から音を発生させる防犯器具を所定の領域内に多数配置する防犯器具の配置構造であって、前記所定の領域内に多数配置した防犯器具のうちの少なくとも１つの防犯器具の前記人体検知手段によって前記所定の領域内のどの位置における人体でも検知するようにしたことを特徴とするものである。
本発明に係る防犯器具の配置構造は、前記防犯器具に照度を検出する照度検出手段を有し、その照度検出手段によって照度が所定以下の値を検出した場合に前記人体検知手段を作動させることを特徴とするものである。
本発明に係る防犯器具の配置構造は、前記防犯器具に時間を計測する計時手段を有し、その計時手段によって時間が所定の値を示した場合に前記人体検知手段を作動させることを特徴とするものである。
本発明に係る防犯器具の配置構造は、前記電源を電池とし、その電池を前記ハウジングの内部に備えたことを特徴とするものである。
本発明に係る防犯器具の配置構造は、前記発光手段が強い光と弱い光との２種類の光を発光させるものとし、前記人体検知手段が所定距離内に人体を検知している間は前記発光手段から強い光を発光し、前記人体検知手段が所定距離内から人体が離れたことを検知した場合に前記発光手段から弱い光を発光することを特徴とするものである。
本発明に係る防犯器具の配置構造は、前記音発生手段が２種類の異なる音を発生させるものとし、前記人体検知手段が所定距離内に人体を検知している間は前記音発生手段から２種類のうちの１種類の音を発生し、前記人体検知手段が所定距離内から人体が離れたことを検知した場合に前記音発生手段から２種類のうちのもう１種類の音を発生することを特徴とするものである。
【発明の効果】
【０００９】
本発明に係る防犯器具及びその防犯器具の配置構造によれば、侵入者に対して効果的な威嚇をすると共に、周囲や外部の不特定多数の第三者等に対してもその侵入者の存在を知らしめることができ、工事現場等の侵入禁止区域において不法侵入者の侵入を未然に防ぐことができる。即ち、この光と音の警告により、視覚と聴覚による相乗効果が期待できるので、侵入者へ対して与える心理的圧迫感が格段に向上する。また、周囲の第三者等にとっても、音により異常を認識すると共に光を視認することができるので、侵入者の位置情報を素早く認知できる。
また、照度検出手段及び／又は計時手段と人体検知手段とが連動することにより、所定の明るさ以下になったときや所定の時間になったときに人体検知手段が作動し、この人体検知手段によって侵入者等の人体の存在を検知したときに光と音を発生するため、節電効果が期待できる。
また、発光手段が強い光と弱い光との２種類の光を発光させるものとし、音発生手段が例えば相対的に大きい音と相対的に小さい音等の２種類の異なる音を発生させるものとすることで、人体を検知している位置の防犯器具の光を強くかつ音を大きくし、それ以前に通過してきた防犯器具の光を弱くかつ音を小さくすることで、侵入者の侵入方向と現在位置を認識することができる。【００１０】
本発明に係る防犯器具及びその防犯器具の配置構造によれば、電池を電源として作動する構成としたので、別途外部電源と必要とせず、設置場所が限定されることなくどこでも設置することが可能となり、汎用性が向上する。例えば、電源のない工事現場の仮設足場や建造物の死角等、商用交流電源が得られない場所であっても、夜間警備用として使用できる。また、電源コードやコンセントが不要となり、面倒な配線作業も不要となるので、設置や移設することも簡易にできる。【００１１】
本発明に係る防犯器具によれば、防犯器具の検知範囲から人体が離れたことを検知した場合に、その付近には侵入者がいないことが分かるので、その後の一定時間の経過後に発光手段から発生する光を停止させると共に音発生手段から発生する音を停止させることで、無駄な電力の使用を防ぎ、安全な状況になったことを知らせることができる。なお、防犯器具の内部にリセットスイッチを備えている場合には、リセット後の一定時間の経過後に人体検知手段が再び正常に作動するようにする。そうしないと、リセットスイッチを作動させる人が防犯器具から離れる前に人体検知手段がリセットスイッチを作動させた人を検知する不具合がある。この不具合を避けるため、リセット後の一定時間の経過後に人体検知手段を正常作動させる。
また、本発明の防犯器具によれば、夜が明けた後でしかも建築現場に作業員が到着する前に、侵入者が侵入した時には、音を発生して侵入者が侵入している状態を知らせることができる。
特に、本発明に係る防犯器具の配置構造においては、所定の領域のどの位置に侵入しても、多数の防犯器具のうちの少なくてもどれか１つの防犯器具の人体検知手段が必ず侵入者を検知して光と音が発生するので、侵入者にとってはどこに逃げても光と音に追いかけられているかのような感覚を受け、侵入者にとって心理的圧迫感を与えることができる。
【図面の簡単な説明】
【００１２】
【図１】（ａ）は本発明に係る防犯器具の側面図、（ｂ）は同防犯器具の底面図である。
【図２】本発明に係る防犯器具の動作の一例を示すフローチャートである。
【図３】本発明に係る防犯器具の動作の一例を示すフローチャートである。
【図４】本発明に係る防犯器具の配置構造の一例を示す構成図である。
【符号の説明】
【００１３】
１０  防犯器具
１２  照明灯
１４  スピーカー
１６  光センサ
１８  人感センサ
２０  制御回路
２２  ハウジング
２４  磁石
２６  電池
４２  光
４４  アラーム音
１１０  第一防犯器具
２１０  第二防犯器具
３１０  第三防犯器具
４１０  第四防犯器具
【発明を実施するための最良の形態】
【００１４】
以下、図面に基づき、本発明に係る防犯器具の一実施形態について説明する。
図１は、本発明に係る防犯器具の（ａ）側面図及び（ｂ）底面図である。図２は、同防犯器具の動作の一例を示すフローチャートである。
防犯器具１０は、発行手段である照明灯１２、音発生手段であるスピーカー１４、照度検出手段である光センサ１６と、人体検知手段である人感センサ１８、それらを制御する制御回路２０、ハウジング２２及び取付手段である磁石２４とから構成されている。防犯器具１０内部には、電源となる電池２６が収容されている。また、防犯器具１０下部には、制御回路２０に接続された光センサ感度調整つまみ２８、人感センサ感度調整つまみ３０、スピーカー音量調整つまみ３２及びスピーカー切替スイッチ３４の各種調整手段と、リセットボタン３６を備えている。【００１５】
照明灯１２は、後述する人感センサ１８で人体を感知したときに点灯又は点滅する構成とする。点灯（点滅）時間は２秒〜１０分位の範囲内で任意に設定することが好ましい。その点灯（点滅）時間や点灯（点滅）パターンを任意に調整できるようにしても良い。例えば、１０秒間点滅した後に１０秒間点灯するように設定することもできる。照明灯１２としては、例えば、発光ダイオード、蛍光灯、電球等が利用できる。なお、照明灯１２は、視認可能な目立つ箇所に配置する。例えば、本実施例のように防犯器具１０の本体上部に配置することが好ましい。照明灯１２は、制御手段２０によって、強い光と弱い光との２種類の光を発光させることができるものとする。２種類の光の変更は、２種類の光源を備えても良いし、電圧を変更するものであっても良い。人感センサ１８が所定距離内に人体を検知している間は、照明灯１２から強い(明るい)光を発光し、人感センサ１８が所定距離内から人体が離れたことを検知した場合に、照明灯１２から弱い光を発光するように設定しても良い。【００１６】
スピーカー１４は、後述する人感センサ１８で人体を感知したときにアラーム音（警告音）を所定時間発する構成とする。アラーム音は、スピーカー音量調整つまみ３２によって音量（ボリューム）を任意に調整することができると共に、スピーカー切替スイッチ３４によって鳴らないように（ＯＦＦ）に設定することもできる。アラーム音は、照明灯１２の光と同時に鳴らせても良いし、光より先や後に少しずらして鳴らせても良い。照明灯１２が点灯（点滅）している間、鳴り続けていても良いし、光より先や後に鳴り終わるようにしても良い。また、アラーム音のパターンを任意に切替えることができるようにし、照明灯１２と連動させてアラーム音のパターンを変更させても良い。例えば、点灯のときはアラーム音Ａとし、点滅のときはアラーム音Ｂとするようにしても良い。なお、スピーカー１４は、本実施例のように防犯器具１０の本体下部に設置し、その周囲をカバー３８で覆い風雨に曝されないようにすることが好ましい。制御手段２０は、スピーカー１４が相対的に大きい音と相対的に小さい音等の異なる２種類の異なる音を切り換えて発生させるものとしても良い。その場合は、人感センサ１８が所定距離内に人体を検知している間はスピーカー１４から相対的に大きい音等の２種類のうちの１種類の音を発生し、人感センサ１８が所定距離内から人体が離れたことを検知した場合にスピーカー１４から相対的に小さい音等の２種類のうちのもう１種類の音を発生するようにする。【００１７】
光センサ１６は、防犯器具１０周囲の明るさを検出するものであり、昼夜を区別するタイマー的役割を担う。即ち、光センサ１６で検出した周囲の照度が予め設定しておいた所定照度以下であるときに、後述する人感センサ１８を作動させる。これにより、昼間等の明るいときは、人感センサ１８が作動していないので、防犯器具１０の周囲に人が近づいても照明灯１２が点灯（点滅）したり、スピーカー１４からアラーム音が鳴ったりすることもない。光センサ１６は、光センサ感度調整つまみ２８によって受光感度を調整することができる。即ち、どの程度の明るさ（暗さ）になったら人感センサ１８を作動させるようにするか調整することができる。また、半透明シール等を貼って受光感度を調整するようにしても良い。なお、光センサ１６は、照明灯１２の光の影響を受けないように取付けることが好ましい。【００１８】
人感センサ１８は、温度等で防犯器具１０に近付く人体を検知するものであり、例えば、人が動くことにより発生する熱量の変化を感知するもの等があるが、これに限るものではない。上述したように、光センサ１６と連動することにより、昼間等の明るいときは作動せず、夜等の暗い時間帯や暗い場所でのみ作動して、人体に反応するようにする。検知角度は水平広がり角約２００度〜約２７０度が好ましく、例えば、約２２０度位が好ましい。また、検知距離は、５ｍ先まで検知可能であるが、敢えて狭い範囲とし誤作動を減らすようにすることが好ましい。例えば、１ｍ前後としても良い。なお、検知範囲（検知角度・検知距離）は、その都度任意に調整し設定できるようにしても良い。人感センサ１８は、人感センサ感度調整つまみ３０によって検知感度を調整することができる。即ち、どの程度の温度変化から認識するようにするか精度を調整することができる。なお、人感センサ１８は、小動物等に反応しないように比較的高い位置に取付けることが好ましい。【００１９】
本実施例における防犯器具１０は、主に内部に収容された電池２６を電源として動作させるものである。このように電源一体型としたことにより、別途外部電源を不要となると共に、電源コードやコンセントも不要となり、設置の際の配線作業も不要となっている。但し、庭園等に防犯器具１０を設置する場合には、交流電源を使用することも可能である。
なお、本実施例では、取付手段として磁石２４を二箇所に設置しているが、簡単に取付けできる手段であれば構わない。例えば、この磁石２４の他に螺子等を利用することによってあらゆる外壁に取付可能となる。【００２０】
防犯器具１０の下部に備えられるリセットボタン３６は、例えば制御回路２０に含まれるリセットスイッチ(図示せず)と接続されており、リセットボタン３６を押すことにより、電源が一端切断され、その後、一定時間経過後に人感センサ１８が再び正常に作動するように設定する。一定時間経過後に人感センサ１８が作動するようにしないと、リセットボタン３６を押した人が防犯器具１０から離れる前に、人感センサ１８が作動する不具合が発生するので、この不具合を避けるためである。【００２１】
なお、夏の日照時間が長い時期には、朝早く明るくなるので、工事現場等において防犯器具１０が早朝に作動しなくなる。その作動しなくなった時から作業者が来る前までには数時間の時間があり、その間に、工事現場等に侵入者が侵入する場合がある。従って、光センサ１６が働かなくなった後の一定の時間の間、人感センサ１８によって所定距離の範囲内で人の存在を検知した場合に、スピーカー１４から音を発生させるようにしても良い。スピーカー１４からの音は、人感センサ１８が所定距離内に人体を検知している間はスピーカー１４から相対的に大きい音等の２種類のうちの１種類の音を発生し、人感センサ１８が所定距離内から人体が離れたことを検知した場合にスピーカー１４から相対的に小さい音等の２種類のうちのもう１種類の音を発生するようにするのが望ましい。これによって、明るい時間であっても、侵入者を見つけることができる。【００２２】
上記の通り構成された本実施例における防犯器具１０の動作の一例を以下に示す。なお、ここでは、夜間侵入禁止区域となる工事現場の仮設足場や建造物の死角に設置した場合を想定する。
図２に示す通り、まず、光センサ１６によって、防犯器具１０の周囲の明るさを判断する（ステップ１）。光センサ１６によって検出した周囲の明るさが予め設定した所定照度以下である場合は、人感センサ１８を作動させ、侵入者（人体）の存在の有無を判断する（ステップ２）。人感センサ１８によって侵入者の存在を検知した場合は、照明灯１２を点灯又は点滅させる（ステップ３）。このとき、スピーカー１４のＯＮ/ＯＦＦの設定を判断し（ステップ４）、ＯＮの場合はスピーカー１４からアラーム音を発生させる（ステップ５）。
侵入者を検知して照明灯１２（場合によってスピーカー１４も）を作動させて所定時間が経過すると（ステップ６）、消灯及び消音（アラーム音を終了）する（ステップ７）。【００２３】
なお、上記処理の流れは本実施例における防犯器具１０の動作の一例である。従って、他の処理順や処理パターンにより防犯器具１０を動作させることも可能である。例えば、照明灯１２による光とスピーカー１４によるアラーム音は同時に発生させたり、ずらしたりすることができるので、ステップ３からステップ５の処理順は適宜変更することができる。また、点灯（点滅）時間とアラーム音の鳴動時間は各々変更することができるので、点灯（点滅）時間と鳴動時間の終了のタイミングが異なるときはステップ６及びステップ７の処理を別々に分けることもできる。【００２４】
また、図３は、防犯器具１０に、光センサ１６に代えて計時手段であるタイマーを設置した場合における動作の一例を示すフローチャートである。
計時手段としてのタイマー（図示略）は、上述した光センサ１６と概ね同様の役割を担うものであり、所定の時間又は予め設定した任意の時間等になると、人感センサ１８を作動させるものである。例えば、図３に示す通り、タイマーによって現在時刻を判断し（ステップ１）、現在時刻が１９時〜５時の間であれば、人感センサ１８を作動させ、侵入者（人体）の存在の有無を判断する（ステップ２）。このとき、人感センサ１８を作動させる時間帯は自由に設定することができ、例えば、夏の日照時間が長い時期であれば１９時〜５時とし、冬の日照時間が短い時期であれば１７時〜７時のように設定することもできる。また、タイマーが計測する時間は、現在時刻のみならず経過時間等であっても良い。例えば、タイマーをセットしたら人感センサ１８を作動させることとし、１０時間経過後に人感センサ１８が自動的に切れるように設定することもできる。なお、計時手段によって計測されている現在時刻や経過時間等を表示する部分（例えば、液晶パネル等）を設けても良い。
その他の構成及び動作については、前述の光センサ１６を備えた場合の防犯器具１０の構成及び動作と同様のため、詳細な説明は省略する。【００２５】
また、光センサ１６とタイマーを併設することもできる。このような構成とすることにより、夏と冬の日照時間の変化にも対応できる。例えば、夏の日照時間が長い時期等は、工事現場等において、夕方作業が終わり現場から作業員が誰もいなくなっても、まだ明るいので防犯器具１０が作動しないという状況が発生することも想定されるが、タイマーと光センサ１６を連動させればこのような状況にも好適に対応できる。【００２６】
このように、光センサを設置した場合は光センサ１６と人感センサ１８とを連動させて所定の明るさ以下になったときに（タイマーを設置した場合はタイマーと人感センサ１８とを連動させて所定の時間になったときに）、人感センサ１８を作動させ、この人感センサ１８によって侵入者の存在を検知したときに光と音を発生させるため、節電効果を損なうことなく、侵入者に対して威嚇すると共に、周囲に対してもその侵入者の存在を通知することができる。即ち、この光と音の警告により、視覚と聴覚による相乗効果が期待できるので、侵入者へ対して与える心理的圧迫感が大きい。また、周囲の第三者等にとっても、音により異常を認識すると共に光を視認することができるので、侵入者の位置情報を素早く認知できる。
なお、ここでいう侵入者とは、悪意のある不法侵入者一般を想定しており、例えば痴漢や放火等の犯罪行為をしようとしている者をも含む。また、周囲とは、外部の不特定多数の者、即ち、駆け付けた管理者や警備員の他、周囲にいる第三者等をも含む。【００２７】
上記構成及び上記動作をする防犯器具１０は、複数配置することにより、さらなる効果が発生する。以下、夜間侵入禁止区域となる工事現場の仮設足場（所定の領域）に防犯器具１０を複数設置する場合の好適な配置例を示す。なお、ここでは、防犯器具１０は光４２とアラーム音４４の両方で警告を行うものとする。
図４は、同防犯器具の配置構造の一例を示す構成図である。図４に示す通り、例えば、仮設足場の四箇所に所定間隔を空けて防犯器具１０を設置する。各防犯器具１０をそれぞれ第一防犯器具１１０、第二防犯器具２１０、第三防犯器具３１０及び第四防犯器具４１０とし、隣接する防犯器具１１０〜４１０同士の距離は約５ｍと仮定する。【００２８】
夜間、この区域に侵入者４０が侵入したとき、まず第一防犯器具１１０によりその存在が検知される。侵入者４０の存在を検知した第一防犯器具１１０は、上述したように、光４２とアラーム音４４の両方で侵入者及び周囲に警告を行う。その警告に驚き侵入者４０が移動すると、次は隣接する第二防犯器具２１０の検知範囲に入る。その侵入者４０を検知した第二防犯器具２１０も、光４２とアラーム音４４により警告を行う。このとき、第一防犯器具１１０で検知している間は、その第一防犯器具１１０による光４２と音４４による警告は続行しているが、侵入者４０が移動したことにより、第一防犯器具の検知範囲から外れた場合は、第一防犯器具１１０による警告が終了する場合であっても、所定の時間は弱い光４２と小さいアラーム音４４による警告を発するようにしても良い。同様に、侵入者４０がさらに移動した場合は、第三防犯器具３１０、第四防犯器具４１０と順に警告が開始され、その侵入者４０の移動に伴い、第二防犯器具２１３、第三防犯器具３１０とその後順に警告が終了または小さくなるようにしていく。【００２９】
このように、本実施例における配置構造によれば、第一防犯器具１１０から第二防犯器具４１０の連係により、侵入者４０の移動に合わせてその侵入者４０を追跡するように各防犯器具１１０〜４１０が順次作動する。従って、侵入者４０の移動に伴って光４２と音４４も追跡可能となり、侵入者４０にとってはどこに逃げても光４２と音４４に追いかけられているかのような感覚を受け、心理的圧迫感がさらに増大する。また、周囲の第三者等にとっても、侵入者４０の移動に伴う光４２の軌跡と、強い光と例えば大きな音とによって侵入者の現在位置を直ちに認識することができる。
【産業上の利用可能性】
【００３０】
本発明に係る防犯器具は、工事現場の仮設足場や建造物の死角等の夜間警備が必要な場所に設置すれば、侵入者が大きな不安や脅威を抱くような形態で威嚇すると共に周囲に対してもその侵入者の存在を知らしめることができるので、不法侵入者の侵入を未然に防ぐことができる。
【図１】
2008105187.tif 000003
【図２】
2008105187.tif 000004
【図３】
2008105187.tif 000005
【図４】
2008105187.tif 000006
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
ハウジングと、光を発生させる発光手段と、音を発生させる音発生手段と、所定距離の範囲内における人体の存在を検知する人体検知手段と、前記発光手段と前記音発生手段と前記人体検知手段との作動を制御する制御回路と、電源となる電池とを有し、前記人体検知手段によって所定距離の範囲内で人体の存在を検知した場合に、前記発光手段から光を発生させると共に前記音発生手段から音を発生させ、前記人体検知手段が所定距離の範囲内に人体を検知した後に前記人体検知手段が所定距離の範囲内から人体が離れたことを検知した場合に、その後の一定時間の経過後に前記発光手段から発生する光を停止させると共に前記音発生手段から発生する音を停止させることを特徴とする防犯器具。
【請求項２】
前記発光手段が強い光と弱い光との２種類の光を発光させるものとし、前記人体検知手段が所定距離内に人体を検知している間は前記発光手段から強い光を発光し、前記人体検知手段が所定距離内から人体が離れたことを検知した場合に前記発光手段から弱い光を発光することを特徴とする請求項１記載の防犯器具。
【請求項３】
前記音発生手段が２種類の異なる音を発生させるものとし、前記人体検知手段が所定距離内に人体を検知している間は前記音発生手段から２種類のうちの相対的に大きな音を発生し、前記人体検知手段が所定距離から人体が離れたことを検知した場合に前記音発生手段から２種類のうちの相対的に小さな音を発生することを特徴とする請求項１又は２に記載の防犯器具。
【請求項４】
照度を検出する照度検出手段を有し、その照度検出手段によって照度が所定以下の値を検出した場合に前記人体検知手段を作動させることを特徴とする請求項１乃至３のいずれかに記載の防犯器具。
【請求項５】
時間を計測する計時手段を有し、その計時手段によって時間が所定の値を示した場合に前記人体検知手段を作動させることを特徴とする請求項１乃至４のいずれかに記載の防犯器具。
【請求項６】
リセットスイッチを有し、そのリセットスイッチが作動すると前記制御回路が前記人体検知手段をその後の一定時間だけ作動しないようにすることを特徴とする請求項１乃至５のいずれかに記載の防犯器具。
【請求項７】
前記ハウジングにそのハウジングを他の部材に取付けるための取付手段を備えたことを特徴とする請求項１乃至６のいずれかに記載の防犯器具。
【請求項８】
前記照度検出手段によって検出した照度が所定以下の値から所定以上の値になった時点から一定時間の間、前記人体検知手段によって所定距離の範囲内で人体の存在を検知した場合に、前記音発生手段から音を発生させることを特徴とする請求項４乃至７のいずれかに記載の防犯器具。
【請求項９】
ハウジングと、光を発生させる発光手段と、音を発生させる音発生手段と、所定距離の範囲内における人体の存在を検知する人体検知手段と、前記発光手段と前記音発生手段と前記人体検知手段との作動を制御する制御回路と、電源となる電池とを有し、前記人体検知手段によって所定距離の範囲内で人体の存在を検知した場合に、前記発光手段から光を発生させると共に前記音発生手段から音を発生させ、前記人体検知手段が所定距離内に人体を検知した後に前記人体検知手段が所定距離内から人体が離れたことを検知した場合に、その後の一定時間の経過後に前記発光手段から発生する光を停止させると共に前記音発生手段から発生する音を停止させる防犯器具を所定の領域内に多数配置する防犯器具の配置構造であって、前記所定の領域内に多数配置した防犯器具のうちの少なくとも１つの防犯器具の前記人体検知手段によって前記所定の領域内のどの位置における人体でも検知するようにし、前記所定の領域内を前記人体が移動したとき、その人体の移動元を検知範囲とする一の防犯器具とその一の防犯器具に隣接する他の防犯器具であってその人体の移動先を検知範囲とする他の防犯器具とを連係させてその人体の移動に伴って順次光及び／又は音を発生させることを特徴とする防犯器具の配置構造。
【請求項１０】
前記発光手段が強い光と弱い光との２種類の光を発光させるものとし、前記人体検知手段が所定距離内に人体を検知している間は前記発光手段から強い光を発光し、前記人体検知手段が所定距離内から人体が離れたことを検知した場合に前記発光手段から弱い光を発光することを特徴とする請求項９記載の防犯器具の配置構造。
【請求項１１】
前記音発生手段が２種類の異なる音を発生させるものとし、前記人体検知手段が所定距離内に人体を検知している間は前記音発生手段から２種類のうちの相対的に大きな音を発生し、前記人体検知手段が所定距離内から人体が離れたことを検知した場合に前記音発生手段から２種類のうちの相対的に小さな音を発生することを特徴とする請求項９又は１０に記載の防犯器具の配置構造。
【請求項１２】
前記防犯器具に照度を検出する照度検出手段を有し、その照度検出手段によって照度が所定以下の値を検出した場合に前記人体検知手段を作動させることを特徴とする請求項９乃至１１のいずれかに記載の防犯器具の配置構造。
【請求項１３】
前記防犯器具に時間を計測する計時手段を有し、その計時手段によって時間が所定の値を示した場合に前記人体検知手段を作動させることを特徴とする請求項９乃至１２のいずれかに記載の防犯器具の配置構造。
【請求項１４】
（削除）
【請求項１５】
（削除）
【請求項１６】
（削除）
【国際調査報告】
2008105187.tif 000007
2008105187.tif 000008
2008105187.tif 000009
2008105187.tif 000010